(57)【要約】【課題】動作の不具合を確実に発見することができる情報処理装置を提供する。【解決手段】用紙反転装置２において、通信部２４は、本体部１によって送信される通信信号を受信し、ＣＰＵ２１は、通信部２４によって受信される通信信号を監視し、通信信号の測定を行うアナライザモードへの切り替えを受け付け、アナライザモードへの切り替えが受け付けられた場合、監視される通信信号の内容が予め記憶されているトリガ条件と同じであるか否かを判断し、通信部２６は、通信信号の内容が予め記憶されているトリガ条件と同じであると判断された場合、通信信号の内容が予め記憶されているトリガ条件と同じであることを表す情報を、用紙反転装置２に接続された表示装置６１へ出力する。【選択図】図１
2007141137.tif 000002
【特許請求の範囲】
【請求項１】
通信線により互いに通信可能に接続された複数の情報通信機器を備える情報処理装置であって、
前記複数の情報通信機器のうちの１の情報通信機器は、
他の情報通信機器によって送信される通信信号を受信する受信手段と、
前記受信手段によって受信される前記通信信号を監視する監視手段と、
前記通信信号の測定を行う測定モードへの切り替えを受け付ける受付手段と、
前記受付手段によって測定モードへの切り替えが受け付けられた場合、前記監視手段によって監視される前記通信信号の内容が予め記憶されているトリガ条件と同じであるか否かを判断する判断手段と、
前記判断手段によって前記通信信号の内容が予め記憶されているトリガ条件と同じであると判断された場合、前記通信信号の内容が予め記憶されているトリガ条件と同じであることを表す情報を、前記１の情報通信機器に接続された表示装置へ出力する出力手段とを備えることを特徴とする情報処理装置。
【請求項２】
前記通信信号に対応するイベントの発生時刻と、前記通信信号に対応するイベントを特定するためのイベント情報とを含むイベントログ情報を記憶する記憶手段をさらに備え、
前記出力手段は、前記１の情報通信機器に接続された入力装置からの指示に基づいて前記記憶手段に記憶されているイベントログ情報を前記表示装置へ出力することを特徴とする請求項１記載の情報処理装置。
【請求項３】
前記受付手段によって測定モードへの切り替えが受け付けられた場合、他の情報通信機器によって送信される通信信号に対して応答せずに受信のみを行う受信モードに設定する受信モード設定手段をさらに備えることを特徴とする請求項１又は２記載の情報処理装置。
【請求項４】
前記受信手段は、前記受信モード設定手段によって前記受信モードに設定されている場合であっても、他の情報通信機器によって送信される前記１の情報通信機器が接続されていることを確認するための接続確認信号に対して前記１の情報通信機器が接続されていることを前記他の情報通信機器へ通知するための接続通知信号を返信し、前記接続通知信号以外の通信信号に対して応答せずに受信のみを行うことを特徴とする請求項３記載の情報処理装置。
【請求項５】
前記情報処理装置は、画像を形成する画像形成装置であり、
前記情報通信機器は、前記画像形成装置全体を制御する本体部、用紙を給紙する給紙装置、及び前記給紙装置によって給紙された用紙を反転させる用紙反転装置を含み、
前記本体部、前記給紙装置及び前記用紙反転装置は、１組の通信線により通信可能に接続されており、
前記１の情報通信機器は、前記本体部、前記給紙装置及び前記用紙反転装置のうちのいずれか１つであることを特徴とする請求項１〜４のいずれかに記載の情報処理装置。
【発明の詳細な説明】
【技術分野】
【０００１】
本発明は、通信線により互いに通信可能に接続された複数の情報通信機器を備える情報処理装置に関するものである。
【背景技術】
【０００２】
既に広く利用されているプリンタ装置、複写機装置、ファクシミリ装置などの情報処理装置等には、複数の情報通信機器が単一のバスに接続され、各情報通信機器がシリアル通信方式により信号を送受信するシステムがある。情報通信機器としては、例えば、積み木型のオプションフィーダ（給紙装置）やデュープレクサ（用紙反転装置）等がある。これらは、それぞれの機器に割り当てられたセレクト信号を本体側から選択することにより、本体から各機器に情報を伝達する仕組みになっているのが一般的である。上記のシステムを開発する際のデバッグ時においては、通信線を外部に引き出し、オシロスコープあるいはロジックアナライザ等の測定機器にて信号とプロトコルとを解析しながらデバッグを行うのが一般的である。なお、通信系装置の交換ＯＳソフトウェアの分野では、例えば特許文献１に示すデバッグ装置が提案されている。
【特許文献１】特許第２８５６１６７号公報
【発明の開示】
【発明が解決しようとする課題】
【０００３】
しかしながら、上記のシステムを開発する際のデバッグ時において、通信線が外部に引き出されるため、信号がノイズの影響を受けやすくなる。したがって、デバッグの結果、発見された不具合が、設計的に内包している不具合であるか、あるいはノイズの影響による突発的な不具合であるかを判別するのは困難である。
【０００４】
本発明は、上記の問題を解決するためになされたもので、動作の不具合を確実に発見することができる情報処理装置を提供することを目的とするものである。
【課題を解決するための手段】
【０００５】
本発明に係る情報処理装置は、通信線により互いに通信可能に接続された複数の情報通信機器を備える情報処理装置であって、前記複数の情報通信機器のうちの１の情報通信機器は、他の情報通信機器によって送信される通信信号を受信する受信手段と、前記受信手段によって受信される前記通信信号を監視する監視手段と、前記通信信号の測定を行う測定モードへの切り替えを受け付ける受付手段と、前記受付手段によって測定モードへの切り替えが受け付けられた場合、前記監視手段によって監視される前記通信信号の内容が予め記憶されているトリガ条件と同じであるか否かを判断する判断手段と、前記判断手段によって前記通信信号の内容が予め記憶されているトリガ条件と同じであると判断された場合、前記通信信号の内容が予め記憶されているトリガ条件と同じであることを表す情報を、前記１の情報通信機器に接続された表示装置へ出力する出力手段とを備える。
【０００６】
この構成によれば、複数の情報通信機器のうちの１の情報通信機器において、他の情報通信機器によって送信される通信信号が受信され、受信される通信信号が監視される。そして、通信信号の測定を行う測定モードへの切り替えが受け付けられ、測定モードへの切り替えが受け付けられた場合、監視される通信信号の内容が予め記憶されているトリガ条件と同じであるか否かが判断される。通信信号の内容が予め記憶されているトリガ条件と同じであると判断された場合、通信信号の内容が予め記憶されているトリガ条件と同じであることを表す情報が、１の情報通信機器に接続された表示装置へ出力される。
【０００７】
したがって、他の情報通信機器によって送信された通信信号が１の情報通信機器に接続された表示装置へ出力されるので、複数の情報通信機器を接続する通信線を引き出す必要がなく、ノイズの影響を受けない通信信号が測定され、動作の不具合を確実に発見することができる。また、通信信号の内容が予め設定したトリガ条件と同じであるか否かが判断され、通信信号の内容が予め設定したトリガ条件と同じであることを表す情報が表示装置に表示されるので、ユーザは予め設定したトリガ条件を満たす通信信号が正常に通信されているかを確認することができる。
【０００８】
また、上記の情報処理装置において、前記通信信号に対応するイベントの発生時刻と、前記通信信号に対応するイベントを特定するためのイベント情報とを含むイベントログ情報を記憶する記憶手段をさらに備え、前記出力手段は、前記１の情報通信機器に接続された入力装置からの指示に基づいて前記記憶手段に記憶されているイベントログ情報を前記表示装置へ出力することが好ましい。
【０００９】
この構成によれば、通信信号に対応するイベントの発生時刻と、通信信号に対応するイベントを特定するためのイベント情報とを含むイベントログ情報が記憶手段に記憶され、入力装置からの指示に基づいて記憶手段に記憶されているイベントログ情報が表示装置へ出力されるので、ユーザは表示装置に表示されるイベントログ情報を確認することにより、不具合の発生したイベントを容易に特定することができる。
【００１０】
また、上記の情報処理装置において、前記受付手段によって測定モードへの切り替えが受け付けられた場合、他の情報通信機器によって送信される通信信号に対して応答せずに受信のみを行う受信モードに設定する受信モード設定手段をさらに備えることが好ましい。
【００１１】
この構成によれば、測定モードへの切り替えが受け付けられた場合、他の情報通信機器によって送信される通信信号に対して応答せずに受信のみを行う受信モードに設定されるので、１の情報通信機器が通信信号を処理する処理負荷を軽減することができる。
【００１２】
また、上記の情報処理装置において、前記受信手段は、前記受信モード設定手段によって前記受信モードに設定されている場合であっても、他の情報通信機器によって送信される前記１の情報通信機器が接続されていることを確認するための接続確認信号に対して前記１の情報通信機器が接続されていることを前記他の情報通信機器へ通知するための接続通知信号を返信し、前記接続通知信号以外の通信信号に対して応答せずに受信のみを行うことが好ましい。
【００１３】
この構成によれば、受信モードに設定されている場合であっても、他の情報通信機器によって送信される１の情報通信機器が接続されていることを確認するための接続確認信号に対して１の情報通信機器が接続されていることを他の情報通信機器へ通知するための接続通知信号が返信され、接続通知信号以外の通信信号に対して応答せずに受信のみが行われる。例えば、１の情報通信機器から接続通知信号が返信されないことにより他の情報通信機器によって１の情報通信機器が接続されていないと判定された場合、他の情報通信機器から１の情報通信機器へ通信信号が送信されなくなる虞がある。そこで、１の情報通信機器において、接続通知信号を返信し、接続通知信号以外の通信信号に対して応答せずに受信のみを行うことにより、他の情報通信機器から１の情報通信機器へ通信信号を送信することができる。
【００１４】
また、上記の情報処理装置において、前記情報処理装置は、画像を形成する画像形成装置であり、前記情報通信機器は、前記画像形成装置全体を制御する本体部、用紙を給紙する給紙装置、及び前記給紙装置によって給紙された用紙を反転させる用紙反転装置を含み、前記本体部、前記給紙装置及び前記用紙反転装置は、１組の通信線により通信可能に接続されており、前記１の情報通信機器は、前記本体部、前記給紙装置及び前記用紙反転装置のうちのいずれか１つであることが好ましい。
【００１５】
この構成によれば、画像形成装置全体を制御する本体部、用紙を給紙する給紙装置、及び給紙装置によって給紙された用紙を反転させる用紙反転装置が１組の通信線により互いに通信可能に接続された画像形成装置に適用することができる。また、特に、本体部、給紙装置及び用紙反転装置を接続する通信線を外部に引き出すのが困難である画像形成装置の場合、本体部、給紙装置及び用紙反転装置のうちのいずれか１つが上記の受信手段、監視手段、受付手段、判断手段及び出力手段を備えることにより、通信線を引き出す必要がなくなり、ノイズの影響を受けない通信信号を測定することができ、動作の不具合を確実に発見することができる。
【発明の効果】
【００１６】
本発明によれば、他の情報通信機器によって送信された通信信号が１の情報通信機器に接続された表示装置へ出力されるので、複数の情報通信機器を接続する通信線を引き出す必要がなく、ノイズの影響を受けない通信信号が測定され、動作の不具合を確実に発見することができる。
【発明を実施するための最良の形態】
【００１７】
以下、本発明の一実施の形態による情報処理装置について図面を参照しながら説明する。図１は、本発明の一実施の形態に係る情報処理装置の一例である画像形成装置の概略構成を示すブロック図である。図１に示す画像形成装置１０は、プリンタ装置、複写機及びファクシミリ装置等である。画像形成装置１０は、情報通信機器の一例である本体部１、用紙反転装置２、第１の給紙装置３及び第２の給紙装置４を備えて構成される。
【００１８】
本体部１は、画像形成装置１０全体を制御するものであり、ＣＰＵ（中央演算処理装置）１１、ＲＡＭ（ランダムアクセスメモリ）１２、ＲＯＭ（リードオンリメモリ）１３、通信部１４及び画像形成部１５を備える。ＣＰＵ１１、ＲＡＭ１２、ＲＯＭ１３、通信部１４及び画像形成部１５は、内部バス１６により互いに通信可能に接続されている。
【００１９】
ＣＰＵ１１は、ＲＯＭ１３に記憶されている制御プログラムを実行することによって、用紙反転装置２、第１の給紙装置３及び第２の給紙装置４を制御する。ＲＡＭ１２は、ＣＰＵ１１の作業領域として割り当てられる。ＲＯＭ１３は、ＣＰＵ１１の動作を制御するための制御プログラム等を予め記憶する。通信部１４は、用紙反転装置２、第１の給紙装置３及び第２の給紙装置４と互いに通信可能に接続されており、ＣＰＵ１１によって出力された通信信号（制御信号）を用紙反転装置２、第１の給紙装置３及び第２の給紙装置４へ送信するとともに、用紙反転装置２、第１の給紙装置３及び第２の給紙装置４によって送信された応答信号などを受信する。
【００２０】
画像形成部１５は、円筒状の感光体ドラム、帯電器、露光器、現像器、転写ローラ及びクリーナー等から構成されている。画像形成部１５では、帯電器により感光体ドラムが一様に帯電され、送信されてきた画像データ等に基づいて露光器からのレーザービームにより感光体ドラム上に静電潜像が形成され、現像器により静電潜像に現像剤（トナー）が付着されてトナー像が形成される。そして、転写ローラによりトナー像が記録用紙に転写され、感光体ドラムの表面に残留しているトナーがクリーナーにより除去される。トナー像が転写された記録用紙は、定着部により加熱及び加圧されて定着され、装置外部へ排出される。
【００２１】
用紙反転装置２は、記録用紙の両面を印刷するために記録用紙を反転させるものであり、ＣＰＵ２１、ＲＡＭ２２、ＲＯＭ２３、通信部２４、ポート２５及び通信部２６を備える。ＣＰＵ２１、ＲＡＭ２２、ＲＯＭ２３、通信部２４、ポート２５及び通信部２６は、内部バス２７により互いに通信可能に接続されている。
【００２２】
ＣＰＵ２１は、ＲＯＭ２３に記憶されている制御プログラムを実行することによって、用紙反転装置２を制御する。ＣＰＵ２１は、通信部２４によって受信される通信信号を監視する。また、ＣＰＵ２１は、入力装置６２によって測定モードへの切り替えが受け付けられた場合、監視される通信信号の内容が予め記憶されているトリガ条件と同じであるか否かを判断する。さらに、ＣＰＵ２１は、通信信号の内容が予め記憶されているトリガ条件と同じであると判断した場合、ロジックアナライザ５及びＰＣ（パーソナルコンピュータ）６へ通信信号を出力する。
【００２３】
ＲＡＭ２２は、ＣＰＵ２１の作業領域として割り当てられる。ＲＯＭ２３は、ＣＰＵ２１の動作を制御するための制御プログラム等を予め記憶する。通信部２４は、本体部１、第１の給紙装置３及び第２の給紙装置４と互いに通信可能に接続されており、本体部１によって送信された制御信号を受信するとともに、制御信号に対する応答信号を本体部１へ送信する。
【００２４】
ポート２５は、外部出力端子を介してロジックアナライザ５に接続されており、通信信号の内容が予め記憶されているトリガ条件と同じである場合、ロジックアナライザ５へ通信信号を出力する。ロジックアナライザ５は、測定機器の一例であり、トリガ条件に応じた通信信号を記録し、記録した通信信号の波形を表示する。
【００２５】
通信部２６は、ＰＣ６に接続されており、通信信号の内容が予め記憶されているトリガ条件と同じである場合、ＰＣ６へ通信信号を出力する。ＰＣ６は、表示装置６１及び入力装置６２を備える。表示装置６１は、トリガ条件に応じた通信信号を表示する。入力装置６２は、通信信号の測定を行う測定モードへの切り替えを受け付ける。入力装置６２によって測定モードへの切り替えが受け付けられた場合、当該測定モードに切り替えられたことがＲＡＭ２２に記憶される。また、入力装置６２は、通信信号を特定するためのトリガ条件のユーザによる入力を受け付ける。入力装置６２によって入力されたトリガ条件は、ＲＡＭ２２に記憶される。ＣＰＵ２１は、ＲＡＭ２２に記憶されているトリガ条件を参照し、監視される通信信号の内容が予め記憶されているトリガ条件と同じであるか否かを判断する。
【００２６】
第１の給紙装置３は、記録用紙を給紙するものであり、ＣＰＵ３１、ＲＡＭ３２、ＲＯＭ３３及び通信部３４を備える。ＣＰＵ３１は、ＲＯＭ３３に記憶されている制御プログラムを実行することによって、第１の給紙装置３を制御する。ＲＡＭ３２は、ＣＰＵ３１の作業領域として割り当てられる。ＲＯＭ３３は、ＣＰＵ３１の動作を制御するための制御プログラム等を予め記憶する。通信部３４は、本体部１、用紙反転装置２及び第２の給紙装置４と互いに通信可能に接続されており、本体部１によって送信された制御信号を受信するとともに、制御信号に対する応答信号を本体部１へ送信する。
【００２７】
第２の給紙装置４は、第１の給紙装置３とは異なる用紙サイズの記録用紙を給紙するものであり、ＣＰＵ４１、ＲＡＭ４２、ＲＯＭ４３及び通信部４４を備える。ＣＰＵ４１は、ＲＯＭ４３に記憶されている制御プログラムを実行することによって、第２の給紙装置４を制御する。ＲＡＭ４２は、ＣＰＵ４１の作業領域として割り当てられる。ＲＯＭ４３は、ＣＰＵ４１の動作を制御するための制御プログラム等を予め記憶する。通信部４４は、本体部１、用紙反転装置２及び第１の給紙装置３と互いに通信可能に接続されており、本体部１によって送信された制御信号を受信するとともに、制御信号に対する応答信号を本体部１へ送信する。
【００２８】
本体部１の通信部１４と、用紙反転装置２の通信部２４と、第１の給紙装置３の通信部３４と、第２の給紙装置４の通信部４４とは、シリアル通信方式でデータを伝送するシリアルバス１７を介してそれぞれ通信可能に接続されている。本実施の形態では、本体部１がマスタデバイスであり、用紙反転装置２、第１の給紙装置３及び第２の給紙装置４がスレイブデバイスである。
【００２９】
なお、本実施の形態において、画像形成装置１０が情報処理装置の一例に相当し、本体部１、用紙反転装置２、第１の給紙装置３及び第２の給紙装置４が情報通信機器の一例に相当し、通信部２４が受信手段の一例に相当し、ＣＰＵ２１が監視手段の一例に相当し、ＣＰＵ２１が受付手段の一例に相当し、ＣＰＵ２１が判断手段の一例に相当し、通信部２６が出力手段の一例に相当し、ＲＡＭ２２が記憶手段の一例に相当し、ＣＰＵ２１が受信モード設定手段の一例に相当する。
【００３０】
次に、図１に示す画像形成装置１０のデバッグ動作について説明する。図２は、図１に示す画像形成装置１０のデバッグ動作について説明するためのフローチャートである。
【００３１】
まず、ＣＰＵ２１は、ＰＣ６の入力装置６２によりアナライザモードへの切り替えが受け付けられたか否かを判断する（ステップＳ１）。入力装置６２は、ユーザによるアナライザモードへの切り替えを受け付ける。このとき、入力装置６２は、デバッグする通信信号を特定するためのトリガ条件の入力を受け付ける。具体的には、入力装置６２は、デバッグする通信信号を特定するためのセレクト信号の入力を受け付けるとともに、デバッグする通信信号の動作内容を特定するためのプロトコルの入力を受け付ける。セレクト信号とは、本体部１が送信する通信信号の宛先を特定するための信号であり、通信信号に含まれる。入力装置６２によって受け付けられたセレクト信号は、登録セレクト信号としてＲＡＭ２２に記憶される。また、プロトコルとは、本体部１が制御する機器の動作内容を特定するための情報であり、通信信号に含まれる。入力装置６２によって受け付けられたプロトコルは、登録プロトコルとしてＲＡＭ２２に記憶される。
【００３２】
なお、本実施の形態では、ＰＣ６の入力装置６２によりアナライザモードへの切り替えを受け付けているが、本発明は特にこれに限定されず、画像形成装置１０が備える操作部によりアナライザモードへの切り替えを受け付けてもよい。また、同様に、画像形成装置１０が備える操作部によりトリガ条件の入力を受け付けてもよい。
【００３３】
ここで、アナライザモードへの切り替えが受け付けられていないと判断された場合（ステップＳ１でＮＯ）、通常処理が行われ（ステップＳ２）、ステップＳ１の処理へ戻る。なお、通常処理とは、用紙反転装置２が本来備えている機能を実行することであり、例えば、給紙された記録用紙を反転させる旨の制御信号が本体部１から送信された場合、当該制御信号に対して用紙反転装置２が応答し、制御信号に基づく処理を行うことである。
【００３４】
一方、アナライザモードへの切り替えが受け付けられたと判断された場合（ステップＳ１でＹＥＳ）、ＣＰＵ２１は、現在のモード設定を通常モードからアナライザモードに切り替える（ステップＳ３）。モード設定内容はＲＡＭ２２に記憶されており、ＣＰＵ２１は、通常モードからアナライザモードに切り替えられたことをＲＡＭ２２に記憶する。
【００３５】
次に、ＣＰＵ２１は、通信部２４の通信機能を受信モードに設定する（ステップＳ４）。受信モードとは、通信部２４が、本体部１によって送信される通信信号に対して応答せずに受信のみを行うモードのことである。なお、本実施の形態では、用紙反転装置２の通信部２４の通信機能が受信モードに設定されるとしているが、本発明は特にこれに限定されず、用紙反転装置２の通信部２４に加えて、第１の給紙装置３の通信部３４及び第２の給紙装置４の通信部４４の通信機能を受信モードに設定してもよい。
【００３６】
次に、ＣＰＵ２１は、シリアルバス１７を介して伝送される通信信号を監視し、通信部２４により通信信号が受信されたか否かを判断する（ステップＳ５）。なお、ＣＰＵ２１は、用紙反転装置２宛の通信信号だけでなく、他の装置、すなわち第１の給紙装置３及び第２の給紙装置４宛の通信信号も監視する。ここで、通信部２４により通信信号が受信されていないと判断された場合（ステップＳ５でＮＯ）、通信部２４により通信信号が受信されるまで所定の時間間隔で上記判断が繰り返される。
【００３７】
通信部２４により通信信号が受信されたと判断された場合（ステップＳ５でＹＥＳ）、ＣＰＵ２１は、通信部２４によって受信された通信信号に含まれるセレクト信号がＲＡＭ２２に予め記憶されている登録セレクト信号と同じであるか否かを判断する（ステップＳ６）。ここで、登録セレクト信号と同じでないと判断された場合（ステップＳ６でＮＯ）、通信信号がデバッグの対象ではないので、ステップＳ５の処理へ戻り、通信信号が受信されたか否かが判断される。
【００３８】
一方、登録セレクト信号と同じであると判断された場合（ステップＳ６でＹＥＳ）、ＣＰＵ２１は、通信部２４によって受信された通信信号のプロトコルを解析する（ステップＳ７）。
【００３９】
次に、ＣＰＵ２１は、解析したプロトコルがＲＡＭ２２に予め記憶されている登録プロトコルと同じであるか否かを判断する（ステップＳ８）。ここで、登録プロトコルと同じでないと判断された場合（ステップＳ８でＮＯ）、通信信号がデバッグの対象ではないので、ステップＳ５の処理へ戻り、通信信号が受信されたか否かが判断される。例えば、各機器の動作内容には、当該動作内容を特定するためのＩＤ番号が予め割り当てられており、このＩＤ番号がプロトコルとして本体部１から送信される。したがって、ＣＰＵ２１は、登録プロトコルとしてこのＩＤ番号を登録しておき、通信信号に含まれるＩＤ番号と一致するか否かを判断する。
【００４０】
一方、登録プロトコルと同じであると判断された場合（ステップＳ８でＹＥＳ）、ＣＰＵ２１は、受信した通信信号のセレクト信号及びプロトコルが予め登録されているセレクト信号及びプロトコルと一致したことを表すデバッグ情報を、通信部２６を介して表示装置６１へ出力する（ステップＳ９）。表示装置６１は、用紙反転装置２によって送信されたデバッグ情報を表示する。
【００４１】
次に、ＣＰＵ２１は、通信信号に対応するイベントの発生時刻と、通信信号に対応するイベントを特定するためのイベント番号とを含むイベントログ情報をＲＡＭ２２に記憶する（ステップＳ１０）。
【００４２】
次に、ＣＰＵ２１は、トリガ条件が一致した通信信号を、ポート２５を介してロジックアナライザ５へ出力する。ロジックアナライザ５は、通信信号の信号波形をモニタに表示する（ステップＳ１１）。
【００４３】
次に、ＣＰＵ２１は、ＲＡＭ２２に記憶されているイベントログ情報を表示装置６１へ出力するか否かを判断する（ステップＳ１２）。入力装置６２は、イベントログ情報を表示装置６１に表示するか否かの入力を受け付ける。入力装置６２によってイベントログ情報を表示することが受け付けられた場合、ＣＰＵ２１は、ＲＡＭ２２に記憶されているイベントログ情報を表示装置６１へ出力すると判断する。入力装置６２によってイベントログ情報を表示することが受け付けられない場合、ＣＰＵ２１は、ＲＡＭ２２に記憶されているイベントログ情報を表示装置６１へ出力しないと判断する。
【００４４】
ここで、ＲＡＭ２２に記憶されているイベントログ情報を表示装置６１へ出力しないと判断された場合（ステップＳ１２でＮＯ）、ステップＳ１４の処理へ移行する。一方、ＲＡＭ２２に記憶されているイベントログ情報を表示装置６１へ出力すると判断された場合（ステップＳ１２でＹＥＳ）、ＣＰＵ２１は、ＲＡＭ２２に記憶されているイベントログ情報を読み出し、読み出したイベントログ情報を、通信部２６を介して表示装置６１へ出力する（ステップＳ１３）。表示装置６１は、用紙反転装置２によって送信されたイベントログ情報を表示する。
【００４５】
イベントログ情報が出力された後、又はイベントログ情報を出力しないと判断された場合、ＣＰＵ２１は、アナライザモードを終了するか否かを判断する（ステップＳ１４）。入力装置６２は、ユーザによるアナライザモードの終了を受け付ける。入力装置６２によってアナライザモードの終了が受け付けられた場合、ＣＰＵ２１は、アナライザモードを終了すると判断する。また、入力装置６２によってアナライザモードの終了が受け付けられない場合、ＣＰＵ２１は、アナライザモードを終了しないと判断する。
【００４６】
ここで、アナライザモードを終了しないと判断された場合（ステップＳ１４でＮＯ）、通信信号を続けて監視するため、ステップＳ５の処理へ戻り、通信信号が受信されたか否かが判断される。一方、アナライザモードを終了すると判断された場合（ステップＳ１４でＹＥＳ）、ＣＰＵ２１は、通信部２４の通信機能に設定されている受信モードを解除する（ステップＳ１５）。受信モードが解除されることにより、通信部２４は、本体部１によって送信される通信信号に対する応答信号の送信が可能となる。
【００４７】
次に、ＣＰＵ２１は、現在のモード設定をアナライザモードから通常モードに切り替える（ステップＳ１６）。このとき、ＣＰＵ２１は、アナライザモードから通常モードに切り替えられたことをＲＡＭ２２に記憶する。
【００４８】
このように、本体部１、用紙反転装置２、第１の給紙装置３及び第２の給紙装置４（複数の情報通信機器）のうちの用紙反転装置２（１の情報通信機器）において、本体部１（他の情報通信機器）によって送信される通信信号が受信され、受信される通信信号が監視される。そして、通信信号の測定を行うアナライザモード（測定モード）への切り替えが受け付けられ、アナライザモードへの切り替えが受け付けられた場合、監視される通信信号の内容が予め記憶されているトリガ条件と同じであるか否かが判断される。通信信号の内容が予め記憶されているトリガ条件と同じであると判断された場合、通信信号の内容が予め記憶されているトリガ条件と同じであることを表す情報が、用紙反転装置２（１の情報通信機器）に接続された表示装置６１へ出力される。
【００４９】
したがって、本体部１によって送信された通信信号が用紙反転装置２に接続された表示装置６１へ出力されるので、本体部１、用紙反転装置２、第１の給紙装置３及び第２の給紙装置４を接続するシリアルバス１７（通信線）を引き出す必要がなく、ノイズの影響を受けない通信信号が測定され、動作の不具合を確実に発見することができる。また、通信信号の内容が予め設定したトリガ条件と同じであるか否かが判断され、通信信号の内容が予め設定したトリガ条件と同じであることを表す情報が表示装置６１に表示されるので、ユーザは予め設定したトリガ条件を満たす通信信号が正常に通信されているかを確認することができる。
【００５０】
また、通信信号に対応するイベントの発生時刻と、通信信号に対応するイベントを特定するためのイベント番号とを含むイベントログ情報がＲＡＭ２２に記憶され、入力装置６２からの指示に基づいてＲＡＭ２２に記憶されているイベントログ情報が表示装置６１へ出力されるので、ユーザは表示装置６１に表示されるイベントログ情報を確認することにより、不具合の発生したイベントを容易に特定することができる。
【００５１】
さらに、アナライザモードへの切り替えが受け付けられた場合、本体部１によって送信される通信信号に対して応答せずに受信のみを行う受信モードに設定されるので、用紙反転装置２が通信信号を処理する処理負荷を軽減することができる。
【００５２】
さらにまた、画像形成装置１０全体を制御する本体部１、用紙を給紙する給紙装置３，４、及び給紙装置３，４によって給紙された用紙を反転させる用紙反転装置２が１組の通信線により互いに通信可能に接続された画像形成装置１０に適用することができる。また、特に、本体部１、給紙装置３，４及び用紙反転装置２を接続するシリアルバス１７（通信線）を外部に引き出すのが困難である画像形成装置１０等の場合、本体部１、給紙装置３，４及び用紙反転装置２のうちのいずれか１つが上記の機能を備えることにより、シリアルバス１７を装置外部に引き出す必要がなくなり、ノイズの影響を受けない通信信号を測定することができ、動作の不具合を確実に発見することができる。
【００５３】
なお、本実施の形態では、測定モードへの切り替えが受け付けられた場合、本体部１によって送信される通信信号に対して応答せずに受信のみを行う受信モードに設定されるが、本発明は特にこれに限定されず、通信部２４は、受信モードに設定されている場合であっても、本体部１によって送信される用紙反転装置２が接続されていることを確認するための接続確認信号に対して用紙反転装置２が接続されていることを本体部１へ通知するための接続通知信号を返信し、接続通知信号以外の通信信号に対して応答せずに受信のみを行ってもよい。
【００５４】
この場合、受信モードに設定されている場合であっても、本体部１によって送信される用紙反転装置２が接続されていることを確認するための接続確認信号に対して用紙反転装置２が接続されていることを本体部１へ通知するための接続通知信号が返信され、接続通知信号以外の通信信号に対して応答せずに受信のみが行われる。例えば、用紙反転装置２から接続通知信号が返信されないことにより本体部１によって用紙反転装置２が接続されていないと判定された場合、本体部１から用紙反転装置２へ通信信号が送信されなくなる虞がある。そこで、用紙反転装置２において、接続通知信号を返信し、接続通知信号以外の通信信号に対して応答せずに受信のみを行うことにより、本体部１から用紙反転装置２へ通信信号を送信することができる。
【００５５】
さらに、例えば、第１の給紙装置３が受信モードに設定され、第１の給紙装置３が接続されていないと判定された場合、給紙する際の用紙搬送路の長さが、第１の給紙装置３が記録用紙を搬送する搬送路の長さ分だけ長くなってしまい、給紙タイミングに矛盾が生じることとなる。そこで、上記のように、受信モードに設定されている場合であっても、本体部１によって送信される第１の給紙装置３が接続されていることを確認するための接続確認信号に対して第１の給紙装置３が接続されていることを本体部１へ通知するための接続通知信号を返信し、接続通知信号以外の通信信号に対して応答せずに受信のみを行うことにより、給紙タイミングに矛盾が生じることがなくなり、適切な制御を行うことができる。
【００５６】
また、本実施の形態では、用紙反転装置２が、ＰＣ６に接続される通信部２６及びロジックアナライザ５に接続されるポート２５を備えているが、本発明は特にこれに限定されず、本体部１、第１の給紙装置３及び第２の給紙装置４のいずれかが、通信部２６及びポート２５を備えていてもよい。
【００５７】
また、本実施の形態において、画像形成装置は、本体部１、用紙反転装置２、第１の給紙装置３及び第２の給紙装置４を備えているが、本発明は特にこれに限定されず、画像形成装置１０は、画像形成装置１０を構成する他の情報通信機器、例えば、原稿を読み取る原稿読み取り装置や記録紙のステイプル処理やソート処理を行う後処理装置等をさらに備えてもよい。
【図面の簡単な説明】
【００５８】
【図１】本発明の一実施の形態に係る情報処理装置の一例である画像形成装置の概略構成を示すブロック図である。
【図２】図１に示す画像形成装置のデバッグ動作について説明するためのフローチャートである。
【符号の説明】
【００５９】
１    本体部
２    用紙反転装置
３    第１の給紙装置
４    第２の給紙装置
５    ロジックアナライザ
６    ＰＣ
１０    画像形成装置
１１，２１，３１，４１    ＣＰＵ
１２，２２，３２，４２    ＲＡＭ
１３，２３，３３，４３    ＲＯＭ
１４，２４，２６，３４，４４    通信部
１５    画像形成部
１６，２７    内部バス
１７    シリアルバス
２５    ポート
６１    表示装置
６２    入力装置
【図１】
2007141137.tif 000003
【図２】
2007141137.tif 000004